(57)【要約】【課題】  チューニング音響フィードバック装置に関する。【解決手段】  イコライザーが設けられた音響機器側の音響出力ターミナルから出力される音響のチューニング工程を管理する音響チューニング担当者の聴覚器官の内部またはその付近に設けられたチューニング音響(ＴＳ)ピックアップケースと、前記ＴＳピックアップケース内に設けられ、前記音響機器側の音響出力ターミナルから出力されたＴＳのピックアップ後、ピックアップしたＴＳを電気的な信号に変換する音電変換素子と、前記ＴＳピックアップケース内に設けられ、音電変換素子により電気的な信号に変換されたＴＳを外部通信可能な有線または無線通信データに変換して、前記音響機器側に伝送するＴＳ出力モジュールと、を含む。
2011526765.tif 000002
【特許請求の範囲】
【請求項１】
イコライザーが設けられた音響機器側の音響出力ターミナルから出力される音響のチューニング工程を管理する音響チューニング担当者の聴覚器官の内部またはその付近に設けられたチューニング音響ピックアップケースと、
前記ＴＳピックアップケース内に設けられ、前記音響機器側の音響出力ターミナルから出力されたＴＳのピックアップ後、ピックアップしたＴＳを電気的な信号に変換する音電変換素子と、
前記ＴＳピックアップケース内に設けられ、前記音電変換素子により電気的な信号に変換されたＴＳを外部通信可能な有線または無線通信データに変換して、前記音響機器側に伝送するＴＳ出力モジュールと、を含むことを特徴とするＴＳフィードバック装置。
【請求項２】
前記ＴＳ出力モジュールに有／無線連結された電子機器内に設けられ、前記ＴＳ出力モジュールから伝送されたピックアップＴＳを受け取り、受け取ったピックアップＴＳのボリュームレベルを補正して、補正されたＴＳを前記音響機器のイコライザー側にフィードバックさせるピックアップＴＳ中間補正ユニットをさらに含むことを特徴とする請求項１に記載のＴＳフィードバック装置。
【請求項３】
前記ピックアップＴＳ中間補正ユニットは、
前記ピックアップＴＳの全体的な中間補正工程を総括制御するピックアップＴＳ中間補正制御モジュールと、
前記ＴＳ出力モジュールと交信を行いつつ、前記ＴＳ出力モジュールから伝送されるピックアップＴＳを受け取るピックアップＴＳ受け取りモジュールと、
前記ピックアップＴＳ受け取りモジュールによって受け取ったピックアップＴＳのボリュームレベルを基準聴音ラインに合わせて補正するピックアップＴＳ中間補正モジュールと、
前記ピックアップＴＳ中間補正モジュールによって生成された補正ＴＳを前記音響機器のイコライザー側にフィードバックする補正ＴＳフィードバックモジュールとを、含むことを特徴とする請求項２に記載のＴＳフィードバック装置。
【請求項４】
前記ＴＳ出力モジュールは、
前記音電変換素子から電気的な信号に変換されたＴＳを受信するピックアップＴＳ受付部と、
前記受信した変換されたＴＳを通信可能な構造に変換するピックアップＴＳ出力部と、
前記電子機器に連結されて通信可能にする有線接続コネクターとを、含むことを特徴とする請求項２に記載のＴＳフィードバック装置。
【請求項５】
前記ＴＳ出力モジュールは、
前記音電変換素子から電気的な信号に変換されたＴＳを受信するピックアップＴＳ受付部と、
前記変換されたＴＳをデジタル信号に変調する基底帯域モデムと、
前記電子機器と無線通信を介してデータの送受信を行う無線アンテナと、
前記基底帯域モデムから受信したデジタル変調信号をアナログ変調信号に変換するか、あるいは前記無線アンテナから受信したＲＦ変調信号をデジタル変調信号に変換するＡＤ変換器と、
前記無線アンテナ及びＡＤ変換器の間に送受信される信号の周波数またはサイズを変換するＲＦ変換部とを、含むことを特徴とする請求項２に記載のＴＳフィードバック装置。
【請求項６】
前記ＲＦ変換部は、
前記ＡＤ変換器により変換されたアナログ変調信号をフィルタリングする低域通過フィルタと、
前記低域通過フィルタによりフィルタリングされた信号の周波数をアップコンバートする周波数アップコンバージョンミキサーと、
前記無線アンテナにより受信されたＲＦ変調信号を増幅する低雑音増幅器と、
前記低雑音増幅器により増幅された信号の周波数をダウンコンバートする周波数ダウンコンバージョンミキサーとを、含むことを特徴とする請求項５に記載のＴＳフィードバック装置。
【発明の詳細な説明】
【技術分野】
【０００１】
本発明は、チューニング音響フィードバック装置に関し、より詳しくは、従来のチューニングマイク(tuning microphone)とは異なり、音響チューニング担当者の聴覚器官の内部またはその付近に設けられた状態で、音響機器側の音響出力ターミナルから出力されるチューニング音響(Tuning Sound、以下‘ＴＳ’という)をピックアップし、それをフィードバックできる複数の音響ピックアップモージュルを体系的に連設し、これにより、ＴＳのピックアップの位置と、聴取者(listener)の実際の聴覚器官の位置(即ち、聴取者の実際の音響ピックアップの位置)とが正確に一致するようにすることにより、前記ＴＳをソースとして活用した音響チューニング工程の信頼性を極大化し、その結果、音響機器側のイコライザー(equalizer)が適正水準の音響出力能力を保持できるようにガイドするＴＳフィードバック装置に関する。
【背景技術】
【０００２】
最近、スピーカなどの音響出力ターミナルを備えた各種の音響機器の発展に伴い、前記音響機器を活用した多種のマルチメディアシステム、例えば、講義室用／放送用／施設用の拡声システム(Loud  speaking  system)、家庭用／施設用の立体音響システム、家庭用／施設用／車両用のオーディオシステムなどの普及も急速に拡大している。
【０００３】
このように、音響機器を活用したマルチメディアシステムの普及により、「どうすれば、聴取者への音響機器の音響出力ターミナル(例えば、スピーカ)からの音響データのより適切な伝達ができるか」が非常に重要なイシューとなり、このイシューを解決するために各関連メーカーでは多様な努力をしている。
【０００４】
従来、その努力の一つとして、各関連メーカーでは、図１に示すように、音響機器２及びマルチメディアシステムが備えられた施設Ｓ(例えば、講義室、放送局、家庭、映画館、商業用施設、車両など)内にチューニングマイク５を設置後、前記チューニングマイク５を活用した一連の音響チューニング工程を、適正な音響が得られるまで繰り返して行った。一連の音響チューニング工程は、「スピーカなどの音響出力ターミナル１を介してＴＳを出力する工程」、「チューニングマイク５によってＴＳをピックアップする工程」、「関連メーカー所属の音響チューニング担当者が音響機器２の一部に大型測定機器４を連設後、前記測定機器４を介して、チューニングマイク５によってピックアップされたＴＳをフィードバックされる工程」、「音響チューニング担当者が測定機器４を介してフィードバックされたＴＳを測定後、そのボリュームレベルを手動で調整し、ボリュームレベルの調整されたＴＳを音響機器２のイコライザー３側に伝達する工程」、「イコライザー３がボリュームレベルの調整されたＴＳを音響出力ターミナル１を介して再出力する工程」などである。その後、図２に示すように、音響機器２及びマルチメディアシステムを実際に使用する場合、聴取者Ｍが音響機器２の音響出力ターミナル１から出力される音響データをより適切に聞き取るようにした。
【０００５】
この場合、前記チューニングマイク５は、聴取者Ｍ(図２参照)の実際の聴覚器官Ｅのように作用して、一連の音響チューニングの工程中、「ＴＳをピックアップし、それを測定機器４にフィードバックさせる役割」を続けて専担する。
【０００６】
この従来技術では、上述したように、関連メーカー所属の音響チューニング担当者は、測定機器４を介して、チューニングマイク５によってピックアップされたＴＳのフィードバックを受けた後、フィードバックされたＴＳのボリュームレベルを手動で調整して再出力する工程を繰り返して行うことにより、一連の音響チューニング工程を完成する。
【０００７】
この場合、チューニングマイク５によってピックアップされたＴＳは、音響チューニング担当者による一連のボリュームレベル調整のメカニズム中に基本的なソースとして活用されるので、「チューニングマイク５がＴＳをどのようにピックアップし、フィードバックさせるか」は、音響チューニング担当者による全体的な音響チューニングの品質において非常に重要な要素となる。
【０００８】
しかし、従来のチューニングマイク５は、通常、各音響チューニング担当者の恣意的な判断に基づいて施設Ｓ内の所定の場所に任意に設けられるので、その設置位置と、図２に示すような聴取者Ｍの実際の聴覚器官Ｅの位置(即ち、聴取者Ｍの実際の音響ピックアップ位置)には、相当な差がある。つまり、「音響機器２及びマルチメディアシステムを実際に使用する場合、チューニングマイク５によってピックアップされたＴＳと聴取者Ｍが実際に聴取する音響」とは大きな差を示すことになる。
【０００９】
また、この場合、関連メーカー所属の音響チューニング担当者が、チューニングマイク５によってピックアップされたＴＳをソースとして活用して、一連の音響チューニング工程(即ち、測定機器４を介して、チューニングマイク５によってピックアップされたＴＳのフィードバックを受けた後、フィードバックされたＴＳのボリュームレベルを手動で調整して再出力する工程)を正常に行っても、音響機器２側のイコライザー３は適正水準の音響出力能力を得ることができない。つまり、音響機器２及びマルチメディアシステムを実際に使用する場合、イコライザー３による音響ボリューム調整が行われても、音響出力ターミナル１から最終的に出力される音響データは、聴取者Ｍの実際の聴音状況とかけ離れた低級の音響品質(音感／明瞭さ／音質)を示す。
【００１０】
即ち、結局、音響データの最終消費者である聴取者Ｍは、上記のような音響データの品質(音感／明瞭さ／音質)の低下による各種被害を受けるしかない。
【００１１】
さらに、従来技術において、チューニングマイク５によってピックアップされたＴＳのボリュームレベルを調整して正常に再出力するためには、大型測定機器４による一連の測定工程及びボリュームレベルの調整工程が追加して行われるため、関連メーカーは、それによる各種問題、例えば、測定機器４の追加設置による問題、測定機器４の追加手動操作による問題まで考えなければならない。
【発明の概要】
【発明が解決しようとする課題】
【００１２】
上記事情に鑑み、本願発明は、従来のチューニングマイクとは異なり、音響チューニング担当者の聴覚器官の内部またはその付近に設けられた状態で、音響機器側の音響出力ターミナルから出力されるＴＳをピックアップし、それをフィードバックできる複数の音響ピックアップモージュルを体系的に連設する。これにより、ＴＳのピックアップ位置と、聴取者の実際の聴覚器官の位置(即ち、聴取者の実際の音響ピックアップの位置)とが正確に一致するようにすることにより、前記ＴＳをソースとして活用した音響チューニング工程の信頼性を極大化し、その結果、音響機器側のイコライザーが適正水準の音響出力能力を保持できるようにする。
【００１３】
本願発明では、複数の音響ピックアップモジュールによってピックアップされたＴＳのボリュームレベルを基準聴音ラインに基づいて自動補正した後、補正されたＴＳを音響機器のイコライザー側にフィードバックできる音響処理モジュールをさらに連設する。これにより、測定機器を活用した手動工程(例えば、フィードバックされたＴＳを測定する工程、フィードバックされたＴＳのボリュームレベルを調整する工程など)をさらに行う必要がなく、音響チューニング関連メーカー(音響チューニング担当者を含む)が、測定機器の追加設置による各種問題、測定機器の追加手動操作による各種問題などを容易に解決できるようにする。
【課題を解決するための手段】
【００１４】
上記目的を達成するため、本願発明では、イコライザーが設けられた音響機器側の音響出力ターミナルから出力される音響のチューニング工程を管理する音響チューニング担当者の聴覚器官の内部またはその付近に設けられたチューニング音響(ＴＳ)ピックアップケースと、前記ＴＳピックアップケース内に設けられ、前記音響機器側の音響出力ターミナルから出力されたＴＳのピックアップ後、ピックアップしたＴＳを電気的な信号に変換する音電変換素子と、前記ＴＳピックアップケース内に設けられ、音電変換素子により電気的な信号に変換されたＴＳを外部通信可能な有線または無線通信データに変換して、前記音響機器側に伝送するＴＳ出力モジュールの組み合わせからなるＴＳフィードバック装置を提供する。
【発明の効果】
【００１５】
本願発明によれば、ＴＳのピックアップ位置と、聴取者の実際の聴覚器官の位置(即ち、聴取者の実際の音響ピックアップ位置)とを正確に一致させ、前記ＴＳをソースとして活用した音響チューニングの工程の信頼性を極大化して、音響機器側のイコライザーが適正水準の音響出力能力を有することができる。
【００１６】
また、本願発明によれば、測定機器を活用した手動工程(例えば、フィードバックされたＴＳを測定する工程、フィードバックされたＴＳのボリュームレベルを調整する工程など)を追加する必要がなくなり、音響チューニング関連メーカー(音響チューニング担当者を含む)が、測定機器の追加設置による各種問題、測定機器の追加手動操作による各種問題などを容易に解決することができる。
【図面の簡単な説明】
【００１７】
【図１】従来技術に係る音響チューニング工程を概念的に示した例示図である。
【図２】従来技術に係る音響チューニング工程の完了後、音響機器及びマルチメディアシステムの実際の使用状況を概念的に示した例示図である。
【図３】本願発明に係るＴＳフィードバック装置を活用した音響チューニング工程を概念的に示した例示図である。
【図４】本願発明に係るＴＳフィードバック装置を活用した音響チューニング工程の完了後、音響機器及びマルチメディアシステムの実際の使用状況を概念的に示した例示図である。
【図５】本願発明に係るＴＳフィードバック装置の細部構成を概念的に示した例示図である。
【図６】本願発明に係るＴＳピックアップケースの活用形態を概念的に示した例示図である。
【図７】本願発明に係るＴＳ出力モジュールの細部構成を概念的に示した例示図である。
【図８】本願発明に係るＴＳ出力モジュールの細部構成を概念的に示した例示図である。
【図９】本願発明に係るガイドウィンドウの掲示形態を概念的に示した例示図である。
【図１０】本願発明に係るピックアップＴＳ中間補正ユニットの動作遂行工程を概念的に示した例示図である。
【図１１】本願発明に係るピックアップＴＳ中間補正ユニットの動作遂行工程を概念的に示した例示図である。
【発明を実施するための形態】
【００１８】
以下、添付図面を用い、本願発明に係るＴＳフィードバック装置を詳述する。
図３に示すように、各音響関連メーカーは、音響機器１２及びマルチメディアシステムが備えられた施設Ｓ(例えば、講義室、放送局、家庭、映画館、商業用施設、車両など)内において、スピーカなどの音響出力ターミナル１１及びイコライザー１３を活用した一連の音響チューニング工程を適正な音響が得られるまで繰り返して行うことにより、図４に示すように、音響機器１２及びマルチメディアシステムが実際に使用される場合に、聴取者Ｍが音響機器１２の音響出力ターミナル１１から出力される音響データをより容易に聞き取るようにした。
【００１９】
この際、音響出力ターミナル１１から出力されたＴＳは、音響チューニング担当者Ｋにより行われる一連の音響チューニングメカニズム中に基本的なソースとして活用されるので、「ＴＳをどのようにピックアップし、フィードバックさせるか」という問題は、全体的な音響チューニングの品質において非常に重要な要素である。
【００２０】
かかる状況において、図３に示すように、本発明では従来のチューニングマイクとは異なり、音響チューニング担当者Ｋの聴覚器官Ｅの内部またはその付近に設けられた状態で、音響機器１２側の音響出力ターミナル１１から出力されるＴＳをピックアップし、それを出力可能なＴＳピックアップユニット１１０を含む新型のＴＳフィードバック装置１００を提供することができる。
【００２１】
この場合、ＴＳピックアップユニット１１０は、音響チューニング担当者Ｋ(図３参照)の実際の聴覚器官Ｅのように作用して、一連の音響チューニングの工程中、「ＴＳをピックアップする役割」を続けて専担する。
【００２２】
ＴＳピックアップユニット１１０が音響チューニング担当者Ｋの聴覚器官Ｅの内部またはその付近に設けられた場合、ＴＳのピックアップ位置は、図４に示すように、「聴取者Ｍの実際の聴覚器官Ｅの位置(即ち、聴取者Ｍの実際の音響ピックアップの位置)」と正確に一致することができる。したがって、ピックアップされたＴＳは、「音響機器１２及びマルチメディアシステムが実際に使用される場合、聴取者Ｍが実際に聞き取る音響」と精巧にマッチすることができる。
【００２３】
この場合、音響関連メーカー所属の音響チューニング担当者Ｋが、ＴＳピックアップユニット１１０によってピックアップされたＴＳをソースとして活用しながら、一連の音響チューニング工程を体系的に管理監督する場合、音響機器１２側のイコライザー１３は適正水準の音響出力能力を保持することができる。その結果、音響機器１２及びマルチメディアシステムにおいて、イコライザー１３による音響ボリュームの調整過程が行われる場合、音響出力ターミナル１から最終的に出力される音響データは、聴取者Ｍの実際の聴音状況に適合な最適の音響品質(最適の音感／明瞭さ／音質)を示すことができる。
【００２４】
また、音響データを最終的に消費する聴取者Ｍ側では、前記音響データの品質(音感／明瞭さ／音質)の低下による各種被害を避けることができる。
【００２５】
この際、図５に示すように、前記ＴＳピックアップユニット１１０は、イコライザーが設けられた音響機器側の音響出力ターミナルから出力される音響のチューニング工程を管理する音響チューニング担当者の聴覚器官の内部またはその付近に設けられたチューニング音響ピックアップケースと、前記ＴＳピックアップケース内に設けられ、前記音響機器側の音響出力ターミナルから出力されたＴＳのピックアップ後、ピックアップしたＴＳを電気的な信号に変換する音電変換素子と、前記ＴＳピックアップケース内に設けられ、前記音電変換素子により電気的な信号に変換されたＴＳを外部通信可能な有線または無線通信データに変換して、前記音響機器側に出力及び伝送するＴＳ出力モジュールと、を含むことができる。
【００２６】
この場合、前記ＴＳピックアップケース１１１は、図６ａ〜図６ｃに示すように、音響チューニング担当者Ｋの聴覚器官Ｅの内部またはその付近に固設されるヘッドセット型構造、耳挿入型構造、イヤリング型構造などで形成されることができる。
【００２７】
なお、図５に示すように、本発明の音電変換素子１２０は、例えば、音響流入口１２１ａが形成された円筒状の容器１２１と、前記容器１２１の内部に密封収容され、かつＴＳピックアップケース１１１及び音響流入口１２１ａを介して入力されるＴＳにより振動する複数の機構物(component)と、容器１２１の内部空間に密封収容され、かつ機構物の振動による静電容量の変化を電気的に処理するＰＣＢ１２２とが組み合わせられた構成を有する。この場合、ＰＣＢ１２２の内側には、電気的な信号処理のための電子回路１２２ａ，１２２ｂ、例えば、トランジスタ、コンデンサなどをさらに配置することができる。
【００２８】
この際、前記機構物は、例えば、容器１２１の内部に順次搭載される振動板アセンブリ１２５、スペーサリング１２６、絶縁ベース１２９、誘電体板１２７、導電ベースリング１２８などが組み合わせられた構成を有することができる。
【００２９】
この場合、振動板アセンブリ１２５は、極輪(Polar ring)１２３及び振動板１２４が組み合わせられた構成を有し、誘電体板１２７は状況に応じて、例えば、金属材質またはＳｉ材質である。
【００３０】
ここで、前記容器１２１は、例えば、アルミニウム(Ａｌ)または銅(Ｃｕ)からなり、極輪１２３は、例えば、ニッケル(Ｎｉ)がプレイティング(Plating)された銅板からなり、スペーサリング１２６は、例えば、厚さ３５〜４６μｍ程度のポリエチレンテレフタレート(以下、ＰＥＴという)フィルムからなり、振動板１２４は金メッキまたはニッケルメッキの厚さ２．５〜３．５μｍ程度のＰＥＴフィルムからなる。
【００３１】
ここで、前記導電ベースリング１２８は、誘電体板１２７及びＰＣＢ１２２を電気的に連結して、振動板アセンブリ１２５の振動板１２４及び誘電体板１２７の間の間隙変化に応じて電流信号の変異が発生すれば、前記電流信号の変異をＰＣＢ１２２のトランジスタ側に伝達する。絶縁ベースリング１２９は、導電ベースリング１２８及び誘電体板１２７の縁をカバーし、前記導電ベースリング１２８及び誘電体板１２７と容器１２１の内壁との電気的接触を遮断する。勿論、かかる構成を有する音電変換素子１２０は、本発明が採択できる多様な音電変換素子１２０の一例であり、本発明では状況によって多種の音電変換素子をＴＳピックアップケース１１１内に設けて活用することができる。
【００３２】
上記のような構造の音電変換素子１２０の配置下で、音響機器１２側の音響出力ターミナル１１からＴＳが出力され、前記ＴＳがＴＳピックアップケース１１１及び容器１２１の音響流入口１２１ａを介して流入されると、振動板１２４は前記ＴＳによって一定の速度で振動するメカニズムを持つことになる。
【００３３】
勿論、前記振動板１２４に振動が発生すると、前記振動によって振動板１２４及び誘電体板１２７の間に形成された間隙が一定の速度で変化し、前記間隙の変化によって振動板１２４及び誘電体板１２７の間の静電場もＴＳに応じて変化する。つまり、通常の静電気誘導法則によって、誘電体板１２７の電位もＴＳに応じて迅速に可変することができる。
【００３４】
この状態で、誘電体板１２７の電位可変値が導電ベースリング１２８を介してＰＣＢ１２２に配置されたトランジスタのゲート電極に伝達されると、前記トランジスタは前記電位可変値による電流値を増幅させる。この後、それをＴＳ出力モジュール１３０に出力する動作を適切に行うことができ、ＴＳピックアップユニット１１０によってピックアップされたＴＳは電気的な信号に変換されて、音響機器１２側にフィードバック可能な基盤環境を安定的に組成することができる(図５参照)。
【００３５】
一方、上述したように、本発明によるＴＳピックアップケース１１１内には、前記音電変換素子１２０に加えて、ＴＳ出力モジュール１３０がさらに配置される。この場合、本発明のＴＳ出力モジュール１３０は、図７に示すように、例えば、ピックアップＴＳ受付部１３１、ピックアップＴＳ出力部１３２、有線接続コネクター１３３などが緊密に組み合わせられた一連の有線通信型構成を有する。
【００３６】
この場合、ピックアップＴＳ受付部１３１は、音電変換素子１２０と電気的な連結関係を有しながら、音電変換素子１２０によって電気的な信号に変換されたピックアップＴＳを受け付ける役割を行う。有線接続コネクタ１３３は、後述する電子機器２０１と例えばＵＳＢケーブルなどの有線ラインを通じて電気的に信号連結される構造を有しながら、ＴＳ出力モジュール１３０と電子機器２０１の間の有線通信連結をインターフェースする。
【００３７】
かかる状況において、ピックアップＴＳ出力部１３２は、ピックアップＴＳ受付部１３１によって受け付けられたピックアップＴＳを受け取った後、一連のデータ加工／変換ルーティンを行うことにより、受け取ったピックアップＴＳのパケット構造を有線通信可能な構造に加工／変換する。その後、ピックアップＴＳ出力部１３２は、変換されたピックアップＴＳを有線接続コネクタ１３３を介して電子機器２０１側に出力／伝送し、ＴＳピックアップユニット１１０によってピックアップされたＴＳは、電子機器２０１側への伝送工程を正常的に行うことにより、音響機器１２にフィードバックできる基盤環境が安定的に組成される(図５参照)。
【００３８】
なお、図８に示すように、ＴＳピックアップユニット１１０所属のＴＳ出力モジュール１３０は、状況に応じて、ピックアップＴＳ受付部１３４、基底帯域モデム１３５、ＡＤ変換器１３６、低域通過フィルタ１３７、周波数アップコンバージョンミキサー１３８、低雑音増幅器１４０、周波数ダウンコンバージョンミキサー１４１、無線アンテナ１３９などが組み合わせられた一連の無線通信型構成を有することもできる。
【００３９】
この場合、無線アンテナ１３９は、近距離無線通信網に接続される構造を選択的に形成しながら、ＴＳ出力モジュール１３０の各構成要素から出力されるデータ(例えば、ピックアップＴＳデータ)を近距離無線通信網に接続中の電子機器２０１側にアップストリームすることができる。また、無線アンテナ１３９は、近距離無線通信網に接続中の電子機器２０１からダウンストリームされるデータ(例えば、無線通信の連結／維持のためのチェックデータなど)を受信後、受信されたデータをＴＳ出力モジュール１３０の各構成要素側にダウンストリームすることもできる。
【００４０】
前記無線アンテナ１３９としては、例えば、「２．４ＧＨｚの周波数帯域に合わせて設計された基板パータン型アンテナ」、「２．４ＧＨｚの周波数帯域に合わせて設計されたセラミックスバー型アンテナ」などを選択することができる。
【００４１】
かかる状況において、ピックアップＴＳ受付部１３４は、音電変換素子１２０と電気的な連結関係を有しながら、音電変換素子１２０によって電気的な信号に変換されたピックアップＴＳを受け付けることができる。基底帯域モデム１３５は、ピックアップＴＳ受付部１２４によって受け付けられたピックアップＴＳを電子機器２０１側の物理階層の規格に合うデジタル信号に変調することができる。
【００４２】
また、ＡＤ変換器１３６は、基底帯域モデム１３５から出力されるデジタル変調信号をアナログ変調信号に変換するか、無線アンテナ１３９を通した電子機器２０１側のＲＦ変調信号(例えば、無線通信の連結／維持のためのチェックデータなど)をデジタル変調信号に変換して、基底帯域モデム１３５側に出力することができる。低域通過フィルタ１３７は、ＡＤ変換器１３６によって変換されたアナログ変調信号のＤＣオフセットを除去して前記変調信号を無線通信の伝送標準に相応する帯域幅に低域フィルタリングすることができる。
【００４３】
また、周波数アップコンバージョンミキサー１３８は、低域通過フィルタ１３７を通過したアナログ変調信号の同相(In-phase)成分及び直交成分を無線通信の伝送標準に相応するＲＦ帯域に各々アップコンバートしてＲＦ変調信号を生成し、生成されたＲＦ変調信号(例えば、ピックアップＴＳデータ)を無線アンテナ１３９を介して電子機器２０１側に出力することができる。
【００４４】
さらに、低雑音増幅器１４０は、無線アンテナ１３９を通した電子機器２０１側のＲＦ変調信号(例えば、無線通信の連結／維持のためのチェックデータなど)を低雑音増幅することができ、周波数ダウンコンバージョンミキサー１４１は、低雑音増幅器１４０によって低雑音増幅されたＲＦ変調信号の同相成分及び直交成分の各々を基底帯域変調信号に変換して、変換された信号をＡＤ変換器１３６側に出力することができる。
【００４５】
勿論、このような各々の無線通信型電算モジュールが機能している状況でも、音電変換素子１２０によって電気的な信号に変換されたピックアップＴＳは、無線アンテナ１３９を介する電子機器２０１側への伝送工程が正常的に行われることによって、音響機器１２側にフィードバックされ得る一連の基盤環境を安定して組成することができる(図５参照)。
【００４６】
なお、上述したように、音響チューニング担当者は、音響機器１２及びマルチメディアシステムが備えられた施設Ｓ内において、スピーカなどの音響出力ターミナル１１及びイコライザー１３を活用した一連の音響チューニング工程を適正な音響が得られるまで繰り返して行い、かかる状況において、ＴＳピックアップユニット１１０によってピックアップされたピックアップＴＳは、音響機器１２側にフィードバックされる(図３参照)。
【００４７】
かかるピックアップＴＳのフィードバック工程において、従来は「音響機器の一部に大型測定機器を連結及び設置後、前記測定機器を介して、ピックアップＴＳのフィードバックを受ける工程」、「フィードバックされたＴＳの測定機器による測定後、そのボリュームレベルを手動で調整し、ボリュームレベルの調整されたＴＳを音響出力ターミナルを通じて再出力する工程」などを行ったため、音響関連メーカーが、それによる各種問題、例えば、測定機器の追加設置による問題、測定機器の追加手動操作による問題などをさらに負うしかなかった。
【００４８】
かかる状況において、本発明では、図３に示したように、ＴＳピックアップユニット１０及び音響機器１２の間の「ピックアップＴＳフィードバック経路」上にピックアップＴＳ中間補正ユニット１５０をさらに配置することができる。ピックアップＴＳ中間補正ユニット１５０は、ＴＳピックアップユニット１１０から出力／伝送されるピックアップＴＳを受け取った後、受け取ったピックアップＴＳのボリュームレベルを基準聴音ラインＪを基準として高くするか低くし、前記ピックアップＴＳのボリュームレベルを自動に中間補正した後、補正されたＴＳを音響機器１２のイコライザー１３側にフィードバックすることができる(図１０及び図１１参照)。この場合、ピックアップＴＳ中間補正ユニット１５０は、ＴＳピックアップユニット１１０及び音響機器１２と有／無線通信を行う電子機器２０１内に設けられることができる。
【００４９】
この際、ピックアップＴＳ中間補正ユニット１５０が設けられる電子機器２０１としては、例えば、ノートパソコンなどのようなコンピューティング機器、携帯電話(Cellular phone)、ＰＣＳフォン(Personal Communications Services phone)、同期式／非同期式ＩＭＴ−２０００(International Mobile Telecommunication-2000)、パームパソコン(Palm Personal Computer)、ＰＤＡ(Personal Digital Assistant)、スマートフォン(Smart phone)、ＷＡＰフォン(WAP phone: Wireless application protocol phone)、ゲーム機(Play-station)などのようなモバイル機器(Mobile device)を、音響チューニング担当者Ｋが置かれた状況に応じて多様に選択することができる。
【００５０】
勿論、このようにＴＳピックアップユニット１１０によってピックアップされたＴＳのボリュームレベルが、ピックアップＴＳ中間補正ユニット１５０によって、「基準聴音ラインＪを基準として自動補正される工程」を中間時点で行う場合、音響チューニング担当者Ｋは、全体的な音響チューニング工程内において、従来のような「測定機器を活用した一連の手動過程(例えば、フィードバックされたＴＳを自己測定する工程、フィードバックされたＴＳのボリュームレベルを自己調節する工程など)」を安定して排除することができる。つまり、音響チューニング関連メーカー(音響チューニング担当者を含む)は、測定機器の追加設置による各種問題、及び測定機器の追加手動操作による各種問題などを容易に解決することができる。
【００５１】
この際、図５に示したように、本発明によるＴＳ中間補正ユニット１５０は、ピックアップＴＳ中間補正制御モジュール１５１と、前記ピックアップＴＳ中間補正制御モジュール１５１の制御下に置かれたガイドウィンドウオペレーティングモジュール１５５、ピックアップＴＳ受取モジュール１５３、オペレーティング情報記憶モジュール１５６、ピックアップＴＳ中間補正モジュール１５７及び補正ＴＳフィードバックモジュール１５８などを含むことができる。
【００５２】
この場合、ピックアップＴＳ中間補正制御モジュール１５１は、インターフェースモジュール１５２を介して電子機器２０１内に配設されたオペレーティングシステム２０２及び表示駆動モジュール２０４、通信モジュール２０３などと一連の信号連結関係を形成しながら、全体的なＴＳ中間補正工程を総括制御することができる。
【００５３】
この際、ピックアップＴＳ中間補正制御モジュール１５１によって制御されるガイドウィンドウオペレーティングモジュール１５５は、音響チューニング担当者Ｋが電子機器２０１を電算操作してＴＳ中間補正ユニット１５０を活性化させる場合、オペレーティングシステム２０２及び表示駆動モジュール２０４などと交信をしながらオペレーティング情報記憶モジュール１５６側に接近し、そこに記憶されている各種のオペレーティング情報、例えば、ガイドウィンドウを生成するための各種のテキスト／イメージ／映像／リンク／プログラム情報、スキン情報、設定情報などをフレキシブルに取出した後、取出した各オペレーティング情報に基づいて、図９に示したようなガイドウィンドウ３０１を生成し、生成されたガイドウィンドウ３０１を電子機器２０１に備えられた表示窓２０５を通じて選択的に出力及び掲示することができる。
【００５４】
勿論、このようなガイドウィンドウ３０１には、例えば、「ピックアップＴＳの現状を確認できるメニュー」、「ピックアップＴＳの補正状態を確認できるメニュー」、「ピックアップＴＳ中間補正モジュールの機能をコントロールできるメニュー」、「ピックアップＴＳの補正結果を確認できるメニュー」などが備えられているため、音響チューニング担当者Ｋがガイドウィンドウ３０１に掲示されているメニューを選択的に操作(入力)／確認する極めて簡単な電算作業のみで、例えば、「ピックアップＴＳの現状を確認する工程」、「ピックアップＴＳの補正状態を確認する工程」、「ピックアップＴＳ中間補正モジュールの機能をコントロールする工程」、「ピックアップＴＳの補正結果を確認する工程」などを自己の意思で行うことができる。
【００５５】
この際、ピックアップＴＳ中間補正制御モジュール１５１によって制御されるオペレーティング情報記憶モジュール１５６は、ＴＳ中間補正ユニット１５０のオペレーションのための各種オペレーティング情報、例えば、ガイドウィンドウ３０１を生成するための各種テキスト／イメージ／映像／リンク／プログラム情報、スキン情報、設定情報、オペレーティングシステム２０２の登録情報、通信モジュール２０３の登録情報、表示駆動モジュール２０４の登録情報、ユニット１５０内部の資源現況情報、ピックアップＴＳのボリュームレベルを調整するためのプログラムコンポーネント情報及び基準聴音ライン情報などを安定的に記憶管理することができる。
【００５６】
この場合、本発明では、所定のピンクノイズ(Pink noise)を発生させた後、前記ピンクノイズのフラット(flat)状態(即ち、測定された全ての周波数が特定値の基準ボリューム値を維持する状態)を、ピックアップＴＳを補正するための基準聴音ライン(ここで、基準聴音ラインは聴力レベルの相対値を示す)として選択する。
【００５７】
このような基盤が備えられた状態で、ピックアップＴＳ中間補正制御モジュール１５１によって制御されるピックアップＴＳ受取モジュール１５３は、インターフェースモジュール１５２、通信モジュール２０３などを介してＴＳピックアップユニット１１０所属のＴＳ出力モジュール１３０と交信をしながら、前記ＴＳ出力モジュール１３０から出力及び伝送されるピックアップＴＳを受取り、受け取ったピックアップＴＳをプロセシングバッファ１５４内に安定的に記憶管理することができる。
【００５８】
このようにして、ＴＳピックアップユニット１１０によってピックアップされたピックアップＴＳがプロセシングバッファ１５４内に記憶完了される状況において、ピックアップＴＳ中間補正制御モジュール１５１によって制御されるピックアップＴＳ中間補正モジュール１５７は、プロセシングバッファ１５４、オペレーティング情報記憶モジュール１５６などと一連の交信をしながら、図１０に示したように、ピックアップＴＳ受取モジュール１５３によって受け取られたピックアップＴＳ、及び「特定の基準ボリューム値を均一に維持する基準聴音ラインＪ」を取り出す工程を行うことができる。
【００５９】
これにより、ピックアップＴＳ及び基準聴音ラインＪの取出が終了すると、ピックアップＴＳ中間補正モジュール１５７は、オペレーティング情報記憶モジュール１５６に記憶されていたプログラムコンポーネント情報を参照しながら、図１０に示すように、一連のデータ補正ルーチンを行い、ピックアップＴＳをなす各周波数別のボリュームレベルの増減曲線Ｔ１のボリュームレベルを基準聴音ラインＪを基準として高くするか低くすることができる。
【００６０】
このような補正において、ピックアップＴＳをなす各周波数別のボリュームレベル増減曲線Ｔ１のボリュームレベルは、各領域ａ１、ａ２、ａ３、ａ４、ａ５、ａ６、ａ７(勿論、それ以外の領域も全て含む)などにおいて、基準聴音ラインＪを基準として、基準聴音ラインＪのボリュームレベルより低いボリュームレベルは、基準聴音ラインＪのボリュームレベルより高いボリュームレベルに補正され、基準聴音ラインＪのボリュームレベルより高いボリュームレベルは、基準聴音ラインＪのボリュームレベルよりも低いボリュームレベルに補正されて、ピックアップＴＳは「ボリュームレベルが基準聴音ラインＪに合うように自動的に中間補正されたボリュームレベル増減曲線Ｔ２」を有する補正ＴＳに変換される。
【００６１】
このようにして、ピックアップＴＳに相応する補正ＴＳが生成されると、ピックアップＴＳ中間補正制御モジュール１５１によって制御される補正ＴＳフィードバックモジュール１５８では、インターフェースモジュール１５２、通信モジュール２０３などを介して、図１１に示したように、音響機器１２と有／無線交信を行い、生成された補正ＴＳ、即ち、「ボリュームレベルが基準聴音ラインＪに合うように自動的に中間補正されたボリュームレベル増減曲線Ｔ２」を有する補正ＴＳを音響機器１２のイコライザー１３側にフィードバックすることができる。
【００６２】
その後、図３に示すように、音響チューニング担当者Ｋは、本発明のＴＳフィードバック装置１００を活用した一連の音響チューニング工程を適正な音響が得られるまで繰り返して行うことにより、音響機器１２およびマルチメディアシステムを使用する場合、聴取者Ｍが音響機器１２の音響出力ターミナル１１から出力される音響データをより容易に聞き取ることができるようにガイドすることができる(図４参照)。
【００６３】
以上のような本発明は、音響チューニングが必要な多様なマルチメディアシステム及び電子機器(非電子機器も含む)において全般的に有効な効果を発揮する。
【００６４】
以上、本発明を実施形態を用いて説明したが、本発明の技術的範囲は上記実施形態に記載の範囲には限定されない。上記実施形態に、多様な変更または改良を加えることが可能であることが当業者に明らかである。そのような変更または改良を加えた形態も本発明の技術的範囲に含まれ得ることが、特許請求の範囲の記載から明らかである。
【産業上の利用可能性】
【００６５】
本発明は、チューニング音響フィードバック装置に関し、より詳しくは、従来のチューニングマイクとは異なり、音響チューニング担当者の聴覚器官の内部またはその付近に設けられた状態で、音響機器側の音響出力ターミナルから出力されるチューニング音響(ＴＳ)をピックアップし、それをフィードバックできる複数の音響ピックアップモージュルを体系的に連設し、これにより、ＴＳのピックアップの位置と、聴取者の実際の聴覚器官の位置(即ち、聴取者の実際の音響ピックアップの位置)とが正確に一致するようにすることにより、前記ＴＳをソースとして活用した音響チューニング工程の信頼性を極大化し、その結果、音響機器側のイコライザーが適正水準の音響出力能力を保持できるようにガイドするＴＳフィードバック装置である。
【図１】
2011526765.tif 000003
【図２】
2011526765.tif 000004
【図３】
2011526765.tif 000005
【図４】
2011526765.tif 000006
【図５】
2011526765.tif 000007
【図６】
2011526765.tif 000008
【図７】
2011526765.tif 000009
【図８】
2011526765.tif 000010
【図９】
2011526765.tif 000011
【図１０】
2011526765.tif 000012
【図１１】
2011526765.tif 000013
【国際調査報告】
2011526765.tif 000014
2011526765.tif 000015